(57)【特許請求の範囲】
【請求項１】
複数の鉄心片を積層して形成され、複数の磁石挿入孔を有する鉄心本体のそれぞれの前記磁石挿入孔に永久磁石を挿入した後、該鉄心本体を上型と下型で挟んだ状態で、前記上型及び前記下型のいずれか一方の金型に設けられた樹脂溜めポットから、前記磁石挿入孔に樹脂を充填して前記永久磁石を固定する積層鉄心の製造方法において、
前記上型及び前記下型で前記鉄心本体を型締めする際に、前記下型と該下型を載せる下型載置台の間に形成された気体室に圧縮気体を供給し、前記下型を前記下型載置台に対して浮遊可能とし、前記上型の両側に設けられた断面矩形で先部がテーパー状となったガイドロッドからなる上ガイド部材と、前記下型に設けられ記ガイドロッドが嵌入する断面矩形のガイド穴からなる下ガイド部材とを用いて、前記鉄心本体を載せた前記下型と前記上型の位置合わせをすることを特徴とする積層鉄心の製造方法。
【請求項２】
請求項１記載の積層鉄心の製造方法において、前記気体室は複数あって、前記下型の中央部を中心として放射状に形成されていることを特徴とする積層鉄心の製造方法。
【請求項３】
請求項１又は２記載の積層鉄心の製造方法において、前記下型は金属製の下型本体と該下型本体の底部に設けられた断熱プレートを備えていることを特徴とする積層鉄心の製造方法。
【請求項４】
請求項３記載の積層鉄心の製造方法において、前記下型は、更に前記断熱プレートの下に金属製の底板プレートが設けられていることを特徴とする積層鉄心の製造方法。
【請求項５】
複数の鉄心片を積層して形成され、複数の磁石挿入孔を有する鉄心本体のそれぞれの前記磁石挿入孔に永久磁石を挿入して、該鉄心本体を上型と下型で挟んだ状態で、前記上型及び前記下型のいずれか一方の金型に設けられた樹脂溜めポットから、前記磁石挿入孔に樹脂を充填して前記永久磁石を固定する積層鉄心の製造装置において、
前記下型と該下型を載せる下型載置台の間に圧縮気体が供給されて、前記下型を前記下型載置台の上に浮遊させる気体室が設けられていると共に、前記上型の両側に設けられた断面矩形で先部がテーパー状のガイドロッドと、前記下型に設けられて前記ガイドロッドが嵌入する断面矩形のガイド穴とを備え、前記上型と前記鉄心本体を載せた前記下型とを位置合わせするガイド手段が設けられ、前記下型載置台に対して前記下型を浮遊して、前記ガイド手段によって、前記下型と前記上型の位置合わせを行うことを特徴とする積層鉄心の製造装置。
【請求項６】
請求項５記載の積層鉄心の製造装置において、前記気体室は複数あって、前記下型の中央部を中心として放射状に形成されていることを特徴とする積層鉄心の製造装置。
【請求項７】
請求項５又は６記載の積層鉄心の製造装置において、前記下型は金属製の下型本体と該下型本体の底部に設けられた断熱プレートを備えていることを特徴とする積層鉄心の製造装置。
【請求項８】
請求項７記載の積層鉄心の製造装置において、前記断熱プレートの底部に金属製の底板プレートを備えていることを特徴とする積層鉄心の製造装置。
【発明の詳細な説明】
【技術分野】
【０００１】
本発明は、積層鉄心の製造方法及び装置に係り、特に磁石挿入孔に入れた永久磁石を樹脂封止する方法及び装置に関する。
【背景技術】
【０００２】
従来、自動車や家電製品に使用するモータの回転子積層鉄心（ロータコアともいう）の製造にあっては、鉄心本体の磁極数に対応して形成された複数の磁石挿入孔に、未磁化の永久磁石を入れて外側から樹脂を入れて樹脂封止にて固定することが行われていた。
この永久磁石の樹脂封止にあっては、例えば、特許文献１に示すように、磁石挿入孔に永久磁石が挿入された鉄心本体を上型及び下型との間で挟持し、上型及び下型のいずれか１に設けられた樹脂溜めポットから溶融した熱硬化性樹脂を充填して行っていた。
【０００３】
この樹脂封止にあっては、回転子積層鉄心を中央に軸を有する搬送トレイに載せて、下型の上に位置決めして載せ、下型を上昇させて、搬送トレイに載った鉄心本体を上型と下型で型締めし、樹脂溜めポット内の樹脂をプランジャで押し出し、永久磁石の挿入された各磁石挿入孔に樹脂を充填している。そして、搬送トレイと上型との位置決めは、搬送トレイの中央に設けられた軸を、上型中央に設けられた凹部に嵌入させることによって行っていた。
【先行技術文献】
【特許文献】
【０００４】
【特許文献１】特開２０１０−１７０７５号公報
【発明の概要】
【発明が解決しようとする課題】
【０００５】
ところが、搬送トレイ及び上型は、繰り返し使用するので、位置合わせする部分が摩耗し、位置決め精度が徐々に悪くなり、更に、搬送トレイの搬送台と下型との位置合わせも同一部分を繰り返し使用するので摩耗して位置決め精度が悪くなるという問題があった。
また、搬送トレイと下型を位置合わせする場合、鉄心本体が載った搬送トレイを左右に動かす必要があり、鉄心本体が大型化すると、搬送トレイの移動は特別な道具や装置（例えば、ロボットハンド等）を必要とし、極めて作業性が悪いという問題があった。
【０００６】
本発明は、かかる事情に鑑みてなされたもので、鉄心本体が載置された下型を容易に動かして位置決め可能な、積層鉄心の製造方法及び製造装置を提供することを目的とする。
【課題を解決するための手段】
【０００７】
前記目的に沿う第１の発明に係る積層鉄心の製造方法は、複数の鉄心片を積層して形成され、複数の磁石挿入孔を有する鉄心本体のそれぞれの前記磁石挿入孔に永久磁石を挿入した後、該鉄心本体を上型と下型で挟んだ状態で、前記上型及び前記下型のいずれか一方の金型に設けられた樹脂溜めポットから、前記磁石挿入孔に樹脂を充填して前記永久磁石を固定する積層鉄心の製造方法において、
前記上型及び前記下型で前記鉄心本体を型締めする際に、前記下型と該下型を載せる下型載置台の間に形成された気体室に圧縮気体（例えば、圧縮空気、圧縮窒素）を供給し、前記下型を前記下型載置台に対して浮遊可能とし、前記上型の両側に設けられた断面矩形で先部がテーパー状となったガイドロッドからなる上ガイド部材と、前記下型に設けられ記ガイドロッドが嵌入する断面矩形のガイド穴からなる下ガイド部材とを用いて、前記鉄心本体を載せた前記下型と前記上型の位置合わせをする。
【０００８】
また、第２の発明に係る積層鉄心の製造方法は、第１の発明に係る積層鉄心の製造方法において、前記気体室は複数あって、前記下型の中央部を中心として放射状に形成されている。
【０００９】
第３の発明に係る積層鉄心の製造方法は、第１、第２の発明に係る積層鉄心の製造方法において、前記下型は金属製の下型本体と該下型本体の底部に設けられた断熱プレートを備えている。
【００１０】
第４の発明に係る積層鉄心の製造方法は、第３の発明に係る積層鉄心の製造方法において、前記下型は、更に前記断熱プレートの下に金属製の底板プレートが設けられている。
【００１１】
【００１２】
【００１３】
第５の発明に係る積層鉄心の製造装置は、複数の鉄心片を積層して形成され、複数の磁石挿入孔を有する鉄心本体のそれぞれの前記磁石挿入孔に永久磁石を挿入して、該鉄心本体を上型と下型で挟んだ状態で、前記上型及び前記下型のいずれか一方の金型に設けられた樹脂溜めポットから、前記磁石挿入孔に樹脂を充填して前記永久磁石を固定する積層鉄心の製造装置において、
前記下型と該下型を載せる下型載置台の間に圧縮気体が供給されて、前記下型を前記下型載置台の上に浮遊させる気体室が設けられていると共に、前記上型の両側に設けられた断面矩形で先部がテーパー状のガイドロッドと、前記下型に設けられて前記ガイドロッドが嵌入する断面矩形のガイド穴とを備え、前記上型と前記鉄心本体を載せた前記下型とを位置合わせするガイド手段が設けられ、前記下型載置台に対して前記下型を浮遊して、前記ガイド手段によって、前記下型と前記上型の位置合わせを行う。
【００１４】
第６の発明に係る積層鉄心の製造装置は、第５の発明に係る積層鉄心の製造装置において、前記気体室は複数あって、前記下型の中央部を中心として放射状に形成されている。
【００１５】
第７の発明に係る積層鉄心の製造装置は、第５、第６の発明に係る積層鉄心の製造装置において、前記下型は金属製の下型本体と該下型本体の底部に設けられた断熱プレートを備えている。
【００１６】
第８の発明に係る積層鉄心の製造装置は、第７の発明に係る積層鉄心の製造装置において、前記断熱プレートの底部に金属製の底板プレートを備えている。
【００１７】
【００１８】
なお、以上の積層鉄心の製造方法及び装置において、永久磁石が挿入された磁石挿入孔への樹脂を供給する樹脂溜めポットは、上型に設けられている場合と、下型に設けられている場合がある。
また、鉄心本体を載せる搬送トレイを用いることは自由であり、この場合、搬送トレイの搬送台は下型に設けられた複数の位置決めピンによって位置決めされる。従って、この場合は、鉄心本体と搬送トレイは一体となっており、下型を下型載置台に対して位置決めすることによって、鉄心本体と上型とを位置決めすることになる。
【発明の効果】
【００１９】
本発明に係る積層鉄心の製造方法及び製造装置においては以下のような効果を有する。
（１）下型載置台に下型を浮遊可能に載せることができるので、下型の位置合わせ、即ち、鉄心本体を載せた下型の横移動が軽くなり、下型の上型に対する位置決めが容易となる。
【００２０】
（２）特に、下型を金属製の下型本体とその底部に設けられた断熱プレートを有して構成すると、加熱された下型の熱の下型載置台への移動が防止され、熱効率が向上すると共に、下型載置台の無用な加熱が防止される。
（３）また、この断熱プレートの下に更に底板プレートを設けて下型を三重構造とすることで、下型を段変えする場合、断熱プレートと下型載置台が擦れて、断熱プレートが摩耗によって変形してしまうのを防止できる。
【００２１】
（４）上型に型締め時に下型に設けられた下ガイド部材に嵌入する上ガイド部材が設けられ、上ガイド部材及び下ガイド部材（即ち、ガイド手段）を介して、上型と下型の位置合わせが行われるようにした場合は、確実に下型と上型の位置合わせができる。
（５）特に、上ガイド部材を断面矩形のガイドロッドとし、下型に設けられた下ガイド部材をこのガイドロッドが嵌入する断面矩形のガイド穴とした場合には、ガイドロッドの先部に適当なテーパーを設けることによって、より精密な位置合わせができる。
【図面の簡単な説明】
【００２２】
【図１】本発明の第１の実施の形態に係る積層鉄心の製造装置の正面図である。
【図２】同積層鉄心の製造装置の説明図である。
【図３】（Ａ）〜（Ｃ）は同積層鉄心の製造装置の下型の説明図である。
【図４】本発明の第２の実施の形態に係る積層鉄心の製造装置の正面図である
【図５】（Ａ）〜（Ｃ）は同積層鉄心の製造装置の下型の説明図である。
【図６】本発明の第３の実施の形態に係る積層鉄心の製造装置の下型の平面図である。
【図７】同積層鉄心の製造装置の下型の断面図である。
【発明を実施するための形態】
【００２３】
続いて、添付した図面を参照しながら、本発明を具体化した実施の形態について説明する。
図１〜図３に示すように、本発明の第１の実施の形態に係る積層鉄心の製造装置１０は、上部を上部フレーム１１に固定された４本のガイドポスト１２に沿って昇降可能な下型載置台１３を有している。そして、下型載置台１３の上には下型１４が載置され、下型１４と対なって鉄心本体１６を挟み、４本の補助ガイド部材１７に沿って昇降可能な上型１８を有している。なお、下型１４及び上型１８によって積層鉄心の製造装置１０の金型が形成される。
【００２４】
上型１８の上には、補助ガイド部材１７又はその他の支持部材によって支持される固定架台１９を有し、固定架台１９は、上部フレーム１１に固定された油圧シリンダを用いる油圧アクチュエータ２０の下部に設けられた複数のプランジャ２１が嵌入するガイド孔２２を有している。また、上型１８には、それぞれのプランジャ２１が嵌入する樹脂溜めポット２３を備え、上型１８と下型１４で挟持した鉄心本体１６を貫通する磁石挿入孔２４にそれぞれ樹脂を注入している。
【００２５】
鉄心本体１６は中央に軸孔２６を有し、搬送台２７と軸２８を有する搬送トレイ２９に搭載され、図３（Ａ）に示すように、下型１４の上に対角配置された位置決めピン３０、３０ａを搬送台２７に設けられた位置決め孔３０ｂ、３０ｃに嵌入し、搬送トレイ２９の下型１４に対する位置決めが行われている。なお、搬送トレイ２９の軸２８は鉄心本体１６の軸孔２６に嵌入するが、軸２８は鉄心本体１６の高さより長く、先部が上型１８の底部に設けられたセンター用位置決め穴３１で位置決め固定されている。
【００２６】
図３（Ｂ）に示すように、下型１４は、金属製（鋼製又はステンレス製）の下型本体３３とその下部に配置された断熱プレート３４とを有し、平面視して下型１４の左右には、下ガイド部材の一例である断面矩形のガイド穴３５、３６が設けられている。このガイド穴３５、３６の間隔は搬送台２７の幅より広く、搬送台２７の外側に隙間を有して形成されている。なお、断熱プレート３４は硬質のセラミックス又は耐熱性を有する繊維強化板（例えば、ＦＲＰ）からなって、底部が平面となっているが、図３（Ｃ）に示すように、下側に気体（例えば、空気）を噴き出す窪み３７〜４１が設けられている。
【００２７】
窪み３７〜４１は底部開放の気体供給路４２に連結され、垂直通路４３、４４を介して下型本体３３の側部に設けられた気体取り入れ口４５、４６に連結されている。窪み３７〜４１と気体供給路４２は平面となった下型載置台１３の表面と共にそれぞれ気体室を形成している。この複数の窪み３７〜４１及び複数の気体供給路４２の全面積をＳとし、気体取り入れ口４５、４６から供給される気体の圧力をＰとした場合、Ｐ×Ｓの浮上力が下型１４に働き、下型載置台１３に対して下型１４を浮上できる構造となっている。なお、下型本体３３と断熱プレート３４は図示しないボルトによって強固に連結されて一体構造となっている。
【００２８】
ガイド穴３５、３６はこの実施の形態では、下型本体３３を貫通している。一方、このガイド穴３５、３６には、上型１８の下部両側に固定された上ガイド部材の一例である断面矩形のガイドロッド４８、４９が嵌入する構造となっている。従って、ガイドロッド４８、４９の先部（即ち、下部）はテーパー状となって、容易にガイド穴３５、３６に嵌入するようになっている。なお、ガイドロッド４８、４９の先部は下型１４が下降した状態では、常にガイド孔３５、３６に挿入されている。これにより、ガイドロッド４８、４９の先部の摩耗を早めることがない。以上のガイド穴３５、３６とガイドロッド４８、４９とでガイド手段を構成している。
【００２９】
下型１４を上昇させて、ガイド穴３５、３６にガイドロッド４８、４９を嵌入させると、ガイドロッド４８、４９のテーパーによって位置決めが可能となっている。なお、軸２８の頂部にもテーパーが設けられて、軸２８が上型１８の底部に設けられているセンター用位置決め穴３１に嵌入し、下型１４の軸心が上型１８の軸心に一致するようになっている。
【００３０】
この積層鉄心の製造装置１０においては、下型１４を下型載置台１３上に浮上させながら、軸２８とセンター用位置決め穴３１、及びガイドロッド４８、４９とガイド穴３５、３６によって、下型１４と上型１８の位置決めを行い、搬送トレイ２９と下型１４は対となる位置決めピン３０、３０ａと搬送台２７に設けられた位置決め孔３０ｂ、３０ｃとによって位置決めをしている。
【００３１】
従って、この積層鉄心の製造装置１０を用いる積層鉄心の製造方法は、複数の鉄心片を積層して形成され、複数の磁石挿入孔２４を有する鉄心本体１６のそれぞれの磁石挿入孔２４に永久磁石を挿入する。なお、この状態で、鉄心本体１６は搬送トレイ２９に搭載されている。搬送トレイ２９と鉄心本体１６の位置決めは、例えば、特開２０１０−１７０７５号公報に記載のように、鉄心本体１６の軸孔２６の内側に左右対称に設けられた突出キーと、軸２８の両側に設けられたキー溝によって行う。搬送トレイと鉄心本体の位置決めは、例えば、鉄心本体に重量軽減用の抜き孔がある場合は、この抜き孔に嵌入するピンを搬送トレイに設け、これらを利用して位置合わせをすることができる。
【００３２】
この後、所定温度に加熱されて搬送トレイ２９に載せた鉄心本体１６を、下型１４の上に対となる位置決めピン３０、３０ａを搬送台２７の位置決め孔３０ｂ、３０ｃに装着して載せる。これによって、搬送トレイ２９に載った鉄心本体１６は下型１４に対して位置決めして装着されることになる。
【００３３】
次に、下型１４の気体取り入れ口４５、４６から圧縮気体を下型１４の窪み３７〜４１と平面状の下型載置台１３によって形成される気体室に入れて、下型１４を浮上させる。これによって、鉄心本体１６の載った下型１４は自由に動くので、所定の位置に移動させた後、下型載置台１３を上昇させる。
これによって、下型１４のガイド穴３５、３６にガイドロッド４８、４９の先部が嵌入し、更に、軸２８の先部がセンター用位置決め穴３１に嵌入して、上型１８に対する下型１４の位置決めが完了する。
【００３４】
図２に示すように、この後、鉄心本体１６の型締めが完了するまで、気体室への圧縮気体の供給を続けて、下型載置台１３を更に上昇させて、鉄心本体１６の型締め（即ち、鉄心本体１６を上型１８と下型１４で挟持した状態）を行い、加熱されている上型１８の樹脂溜めポット２３内に樹脂を入れて加熱溶融し、油圧アクチュエータ２０を作動させて、プランジャ２１を押し下げ、樹脂溜めポット２３内の樹脂を、鉄心本体１６の各磁石挿入孔２４に入れて、内部に挿入された永久磁石の樹脂封止を行う。
樹脂封止が完了した後は、下型載置台１３を下降させ樹脂封止された鉄心本体１６を搬送トレイ２９に載せたまま積層鉄心の製造装置１０（金型装置）から取り出し、この状態で永久磁石が樹脂封止された積層鉄心となる。また、下型載置台１３を下降させる時も、気体室への圧縮空気の供給を行えば、ガイド孔３５、３６とガイドロッド４８、４９の摩耗が抑制される。
【００３５】
続いて、図４、図５（Ａ）〜（Ｃ）に示す本発明の第２の実施の形態に係る積層鉄心の製造装置５２について説明する。この実施の形態においては、下型５５が最上部の金属製の下型本体５３と中間部の断熱プレート５４とその下部にある金属製の底板プレート５６を有する三重構造となっている。このように三重構造とすることで、下型５５を段変えする場合、断熱プレート５４と下型載置台５７が擦れて、断熱プレート５４が摩耗によって変形してしまうのを防止している。底板プレート５６の底面は平面となって、下型載置台５７に下型載置台５７の中心を基準にして窪み５８〜６１が放射状（即ち、点対称）に複数設けられている。なお、その他の構成は、積層鉄心の製造装置１０と同一であるので、同一の符号を付して詳しい説明を省略する。
【００３６】
そして、下型載置台５７には窪み５８〜６１に圧縮気体を供給する気体通路６２〜６５が設けられている。この気体通路６２〜６５の端部には、図示しない継手が設けられてホース等によって気体供給源に接続されている。
この実施の形態において、下型５５の底面（底板プレート５６の底面）と窪み５８〜６１によって気体室が形成され、この気体室に圧縮気体を供給することによって、鉄心本体１６が搭載された下型５５を浮上させている。なお、気体室は底板プレートの底面に窪みを形成し、下型載置台を平面状にして形成してもよい。
【００３７】
断熱プレート５４は加熱された鉄心本体１６からの熱が逃げるのを防止し、下型本体５３内にヒータが配置される場合は、ヒータからの熱放散を防止している。下型５５を三重構造とすることで、ヒータからの熱放散をより効果的に防止できる。なお、下型本体５３と断熱プレート５４との連結は複数のねじ６７によって、底板プレート５６と断熱プレート５４との連結は複数のねじ６８によって行われている。また、熱による影響を少なくするため、ねじをスリーブ構造としてもよい。
【００３８】
以上のようにすることで、下型５５を下型載置台５７に対して浮上させることができ、ガイド穴３５、３６にガイドロッド４８、４９を嵌合させ、かつ軸２８の先部をセンター位置決め穴３１に装着させる作業が容易に行え、鉄心本体１６を載せた下型５５と上型１８の位置合わせが容易にできる。
【００３９】
続いて、図６、図７を参照しながら、本発明の第３の実施の形態に係る積層鉄心の製造装置７０について説明する。この実施の形態において、積層鉄心の製造装置７０は、鉄心本体１６の各磁石挿入孔２４に下から樹脂を注入する方法に用いる装置であって、下型載置台７１の中央に開口部７２を有し、図示しないガイド部材に沿って昇降するプランジャホルダー７３が開口部７２に入るようになっている。
【００４０】
プランジャホルダー７３は、平面視して下型載置台７１の開口部７２の周囲に設けられた複数の樹脂溜めポット７４に挿通するプランジャ７５を備えている。なお、樹脂溜めポット７４は下型本体８１に設けられている。プランジャホルダー７３は金属製のホルダー本体７６を有している。なお、７８はフランジャホルダー７３を昇降する油圧アクチュエータを示す。
【００４１】
下型載置台７１の上には、下型８０が配置されている。この下型８０は上部の金属製の下型本体８１と中間部の断熱プレート８２と下部の金属製の底板プレート８３とを有し、断熱プレート８２及び底板プレート８３には、下型載置台７１に形成されている開口部７２と同一直径の開口部８４が形成され、プランジャホルダー７３が嵌入するようになっている。なお、下型本体８１と断熱プレート８２は複数のねじ８５によって、断熱プレート８２と底板プレート８３及び下型本体８１は複数のねじ８６によって連結されている。また、熱による影響を少なくするため、ねじをスリーブ構造としてもよい。
【００４２】
そして、この実施の形態においては、底板プレート８３の底部には窪み８７〜９０が、下型８０のセンターを中心にして放射状に複数設けられ、下型載置台７１の上面は平面となって、窪み８７〜９０に圧縮気体を吹き込む気体通路９１が設けられている。この窪み８７〜９０と下型載置台７１の上面で、それぞれ気体室が形成され、下型載置台７１に対して下型８０を浮上させる構造となっている。
【００４３】
なお、この実施の形態では窪みは、下型８０の底部に設けられていたが、下型載置台７１の表面に窪みを設け、底板プレートの底面を平面にすることもできる。この実施の形態においては、下型８０に樹脂溜めポット７４が形成され、この樹脂溜めポット７４には、搬送トレイ９３の搬送台９４に形成された貫通孔９５が連通している。この場合、搬送台９４に設けられた貫通孔（位置決め孔）に、下型８０に設けられ先部がテーパー状となった位置決めピン３０、３０ａが装着されて、搬送トレイ９３の位置決めが行われている。
【００４４】
この状態で、気体室に圧縮気体を入れて下型８０を浮上させて、下型８０のガイド穴３５、３６にガイドロッド４８、４９の先部が嵌入し、更に、搬送トレイ９３の中央の軸２８の先部をセンター用位置決め穴３１に嵌入させて（図１、図２参照）、下型８０の位置決めを行う。この状態で、下型８０を上昇させて、鉄心本体１６の型締めを図示しない上型（図１、図２参照）と下型８０で行う。
【００４５】
そして、樹脂溜めポット７４に入れた樹脂が溶融した後、プランジャホルダー７３を更に上昇させて、樹脂溜めポット７４の樹脂を、鉄心本体１６の磁石挿入孔２４に充填する。この後、樹脂を硬化させて下型載置台７１を下げて、樹脂封止が完了し、鉄心本体１６に各永久磁石が樹脂封止された積層鉄心（回転子積層鉄心）の製造がなされる。
【００４６】
本発明は前記した実施の形態に限定されるものではなく、本発明の要旨を変更しない範囲でその構成を変更することもできる。
例えば、第１〜第３の実施の形態に係る積層鉄心の製造装置の一部の構成要素を他の実施の形態に応用する場合や、組み合わせる場合も本発明は適用される。
即ち、気体室に充填されるのは空気のみとは限定されず、他の気体（例えば、窒素等）であってもよい。
また、第１、第２の実施の形態に係る積層鉄心の製造装置において、鉄心本体の上にダミー板を配置し、樹脂封止された鉄心本体の上に残る樹脂滓を容易に除去するようにする場合も、本発明は適用される。
また、上型に対する下型の位置決めは、この実施の形態では、ガイド穴にガイドロッドを嵌入させて、更に軸の先部をセンター用位置決め穴に嵌入させることによっても行ったが、いずれか一方のみで位置決めを行ってもよい。
【符号の説明】
【００４７】
１０：積層鉄心の製造装置、１１：上部フレーム、１２：ガイドポスト、１３：下型載置台、１４：下型、１６：鉄心本体、１７：補助ガイド部材、１８：上型、１９：固定架台、２０：油圧アクチュエータ、２１：プランジャ、２２：ガイド孔、２３：樹脂溜めポット、２４：磁石挿入孔、２６：軸孔、２７：搬送台、２８：軸、２９：搬送トレイ、３０、３０ａ：位置決めピン、３０ｂ、３０ｃ：位置決め孔、３１：センター用位置決め穴、３３：下型本体、３４：断熱プレート、３５、３６：ガイド穴、３７〜４１：窪み、４２：気体供給路、４３、４４：垂直通路、４５、４６：気体取り入れ口、４８、４９：ガイドロッド、５２：積層鉄心の製造装置、５３：下型本体、５４：断熱プレート、５５：下型、５６：底板プレート、５７：下型載置台、５８〜６１：窪み、６２〜６５：気体通路、６７、６８：ねじ、７０：積層鉄心の製造装置、７１：下型載置台、７２：開口部、７３：プランジャホルダー、７４：樹脂溜めポット、７５：プランジャ、７６：ホルダー本体、７８：油圧アクチュエータ、８０：下型、８１：下型本体、８２：断熱プレート、８３：底板プレート、８４：開口部、８５、８６：ねじ、８７〜９０：窪み、９１：気体通路、９３：搬送トレイ、９４：搬送台、９５：貫通孔
【図１】
0006013683.tif 000002
【図２】
0006013683.tif 000003
【図３】
0006013683.tif 000004
【図４】
0006013683.tif 000005
【図５】
0006013683.tif 000006
【図６】
0006013683.tif 000007
【図７】
0006013683.tif 000008